(57)【特許請求の範囲】
【請求項１】
本体の前面の開口部を開閉する扉の蝶番構造であって、前記本体に設けられた本体側ベースに、第１リンクの一端部を回動自在に取り付け、該第１リンクの他端部に第２リンクの一端部を回動自在に取り付け、該第２リンクの他端部を扉側に設けられた扉側ベースに回動自在に取り付け、第３リンクの一端部を前記本体側ベースに、他端部を前記扉側ベースにそれぞれ回動自在に取り付け、更に、該第３リンクの一端部と前記第１リンクの一端部とに互いに噛合するギヤ部を形成したことを特徴とする扉の蝶番構造。
【発明の詳細な説明】
【０００１】
【産業上の利用分野】
本発明は書庫、間仕切等に用いられる扉の蝶番構造に関し、更に詳しくは、扉の開度を大きくできるとともに、扉をスムーズに開閉動作させることができる扉の蝶番構造に関する。
【０００２】
【従来の技術】
従来より、書庫、間仕切等の本体前面には該本体開口部を開閉する扉が蝶番を介して枢着されている。この種の書庫、間仕切等においては外観の美しさが要求されるので、一般に、扉は本体の開口部だけでなく本体前面の外縁部近傍まで覆う大きさに形成される。特に壁面書庫等のように複数個の書庫が並設される場合、閉扉時に隣接する扉の間に大きな隙間を作らないように扉のサイズが定められる。したがって、このような扉を本体前面或いは隣接する書庫の扉と干渉しないように、また、本体内部の引出し或いは収納物等の出し入れに支障が生じないように、スムーズに大きく開動させることができる蝶番構造が必要になる。そして大型の重い扉であっても支障なく開閉動可能に支持できる蝶番構造が必要になる。
【０００３】
上記の要求を満たすためには、扉を開方向に回動させるときに先ず扉全体を本体の前方に移動させることができる蝶番構造が必要である。そこで幾つかの蝶番構造が提案されているが、代表的なものについて説明すると、実開昭６３−８９０７８号公報に開示された扉の蝶番構造は、本体に取り付けられる取付板の両端とヒンジアームの両端とを各々連結板を介して連結して四節リンク構造を構成し、このヒンジアームの延長端に更に枢軸を介して扉を回動可能に支持したものとなっている。この蝶番構造によれば、四節リンクにより、先ずヒンジアームを本体の前方に移動させることができ、さらに扉をヒンジアームに対し回動させることで扉を大きく開くことができる。一方、実開平１−１３８０８０号公報に開示されている扉の蝶番構造は、本体に取り付けられる取付板に２つのピンを介して２つの連結板の一端部を各々連結し、さらに両連結板の他端部に梃子板の両端部を各々ピンを介して連結することにより、四節リンクを構成し、上記梃子板と連結板とを連結する２つのピンのうちの一方に扉を枢支したものとなっている。この蝶番構造においても、扉を開けるときに四節リンクの動作により扉全体を本体の前方に移動させることができる。
【０００４】
【発明が解決しようとする課題】
しかしながら、上述した２つの従来例においては、扉の開度を大きくとるために、扉は四節リンクのうちの１つに対し枢支されて四節リンクの動きとは独立して回動する構成となっているため、本体に対する扉の開閉動作が一定のものにならず、操作し難いという問題があった。また、扉は四節リンクのうちの１つに対し１つの枢支ピンを介して枢支されているにすぎないため、大型で重い扉の場合、十分な支持強度を確保することが難しく、使用している間に扉が動きにくくなったり、ガタが生じやすいという問題があった。
【０００５】
したがって、本発明の目的は、扉の大きな開度を確保しつつ、扉をスムーズに開閉動作させることができる扉の蝶番構造を提供することにある。
【０００６】
【課題を解決するための手段】
上記課題を解決するために、本発明にあっては、本体の前面の開口部を開閉する扉の蝶番構造であって、前記本体に設けられた本体側ベースに、第１リンクの一端部を回動自在に取り付け、該第１リンクの他端部に第２リンクの一端部を回動自在に取り付け、該第２リンクの他端部を扉側に設けられた扉側ベースに回動自在に取り付け、第３リンクの一端部を前記本体側ベースに、他端部を前記扉側ベースにそれぞれ回動自在に取り付け、更に、該第３リンクの一端部と前記第１リンクの一端部とに互いに噛合するギヤ部を形成したことを特徴としている。
【０００７】
【作用】
上記構成を有する扉の蝶番構造によれば、扉の開閉動作すると、第１，第３リンクはギヤ部が噛合しているので互いに反対方向に回動し、更に、この第１リンクには第２リンクが連結されているため、各リンクに支持された扉は、本体の前面や隣接する書庫等の扉に干渉することなく扉を開動させることができる。しかも、ギヤ部が噛合して四節リンク機構を構成しているため、扉は一義的な開閉動作をすることとなるので、扉の開閉操作がしやすくなり、扉をスムーズに開閉動作させることができる。さらに、扉は第１，第２リンク及び第３リンクに支持されているので、本体に対する支持強度が高くなり、扉のスムーズな開閉動作を長期間維持することができる。さらにまた、扉を１８０°開成した状態では、扉の側面部が、本体開口部の内側に突出することを防止でき、書物等の出入れの邪魔になることがなく、使い勝手が良好である。
【０００８】
【実施例】
以下、図面を参照して本発明の実施例につき説明する。
【０００９】
図１乃至図７は本発明の一実施例を示したもので、図１は書庫１の全体斜視図である。図１を参照すると、書庫１は前面が開口した書庫本体２と、この本体２の開口部２ａを開閉するための左右一対の扉３，３とを備えている。このような書庫１は、扉３，３を開けて本体内の引出し或いは書類等の収納物を出し入れすることができる。
【００１０】
これら扉３，３は、図１中符号イ，ロ，ハ，ニの四隅に配設された蝶番１０…により書庫本体２に開閉自在に支持されている。
【００１１】
以下では、符号イの位置に配設された蝶番１０を参照して説明する。
【００１２】
まず、この隅部の書庫本体２は、図３に示すように、床部に挿入開口２ｂが形成され、この挿入開口２ｂを介して本体側ベース１１の一部が挿入されて固定されている。
【００１３】
また、扉３の裏面部３ａには、本体側ベース１１と対応した位置に、扉側ベース１２が固定されている。
【００１４】
この本体側ベース１１には、図２等に示すように、第１リンク１３の一端部１３ａが皿リベット１４により回動自在に取り付けられ、この第１リンク１３の他端部１３ｂに第２リンク１５の一端部１５ａが皿リベット１４により回動自在に取り付けられ、更に、この第２リンク１５の他端部１５ｂが皿リベット１４により扉側ベース１２に回動自在に取り付けられている。
【００１５】
また、図２中符号１６は第３リンクで、この第３リンク１６には、上下方向の中央部に本体側ベース１１の先端部が挿入されるスリット１６ｃが形成され、この第３リンク１６の一端部１６ａが皿リベット１４を介して本体側ベース１１に、他端部１６ｂが皿リベット１４を介して扉側ベース１２に皿リベット１４を介してそれぞれ回動自在に取り付けられている。
【００１６】
更に、この第３リンク１６の一端部１６ａには、略半円周上にギヤ部１６ｄが形成される一方、前記第１リンク１３の一端部１３ａには、全周に渡ってギヤ部１３ｃが形成され、両ギヤ部１３ｃ，１６ｄが互いに噛合している。
【００１７】
なお、部位ロ，ハ，ニについても上述と略同様の構造を呈しているので、説明を省略する。
【００１８】
次に、作用について説明する。
【００１９】
まず、図３に示す扉３の閉成状態では、扉３の側面部３ｃが書庫本体２の側面部２ｆの外面２ｇより隣接する書庫側に突出しないように設定されている。この状態から、扉３を開成すべく、扉３を矢印方向に回動させると、両ギヤ部１３ｃ，１６ｄが噛合しているため、第１リンク１３は時計廻りに回動し、第３リンク１６は反時計廻りに回動する。回動量は、ギヤ比により所望の値に設定する。そして、図７の（ａ），（ｂ），（ｃ）に示すように回動して行き、（ｄ）で全開状態となる。全開状態では、扉３は書庫本体２の前面に当たることなく閉成状態から１８０°回動すると共に、扉３が１８０度開いた状態では扉３は閉じた状態と比較して本体２から扉３一枚の厚さ分だけ前方に移動する。このため書庫１が横方向に並設されている場合に、ある書庫１の扉３を開放する場合に隣の書庫の扉が邪魔になって開放できないということがない。
【００２０】
また、上記機構により扉３を開成した場合には、図７の（ｄ）に示すように、扉３の側面部３ｃが、書庫本体２の側面部２ｆの内面２ｈより内側（開口部２ａ内側）に突出していないため、書物等を出入れするのに、扉３の側面部３ｃが邪魔にならず、使い勝手が良好である。
【００２１】
さらに、第１リンク１３と第３リンク１６とが互いに噛合され限定された動作を行うことから、各リンク１３，１５，１６等により四節リンク機構が構成されることになり、扉３は常に一義的な動きをすることとなるので、扉３の開閉操作がしやすくなり、扉３をスムーズに開閉動作させることができる。
【００２２】
さらにまた、扉３は各蝶番１０毎に第１，第２リンク１３，１５及び第３リンク１６にて支持されているので、書庫本体２に対する支持強度が高くなり、扉３のスムーズな開閉動作を長期間維持することができる。
【００２３】
以上実施例につき説明したが、本発明は上記実施例の態様のみに限定されるものではなく、例えば、各リンク１３，１５，１６等の形状は上記実施例の形状に限らず他の形状でも良く、また、上記実施例の書庫１は左右２つの扉３が左右に開く形式のものであるが、左方、右方または上方のみに開く単一の扉を備えたものであってもよい。また、本発明は書庫に限らず、扉を有するものであれば、例えば間仕切り等にも同様に適用することができる。
【００２４】
【発明の効果】
以上の説明から明かなように、本発明によれば、扉の開閉動作すると、第１，第３リンクはギヤ部が噛合しており、互いに反対方向に回動し、更に、第１リンクには第２リンクが連結されているため、各リンクに支持された扉は、本体の前面や隣接する書庫等の扉に干渉することなく扉を開動させることができる。しかも、ギヤ部が噛合して四節リンクを構成しているため、扉は一義的な開閉動作をすることとなるので、扉の開閉操作がしやすくなり、扉をスムーズに開閉動作させることができる。さらに、扉は第１，第２リンク及び第３リンクに支持されているので、本体に対する支持強度が高くなり、扉のスムーズな開閉動作を長期間維持することができる。さらにまた、扉を１８０°開成した状態では、扉の側面部が、本体開口部の内側に突出することを防止でき、書物等の出入れの邪魔になることがなく、使い勝手が良好な扉の蝶番構造を提供することができる。
【図面の簡単な説明】
【図１】本発明の一実施例に係る蝶番を使用した書庫の全体斜視図である。
【図２】同実施例の蝶番を示す分解斜視図である。
【図３】同実施例を示す蝶番の配設状態を示す水平方向に沿う断面図である。
【図４】同実施例を示す扉全開状態の蝶番の正面図である。
【図５】同実施例を示す扉全開状態の蝶番の平面図である。
【図６】同実施例を示す扉全開状態の蝶番の底面図である。
【図７】同実施例の作用を示す説明図である。
【符号の説明】
１            書庫
２            書庫本体（本体）
３            扉
１０            蝶番
１１            本体側ベース
１２            扉側ベース
１３            第１リンク
１３ａ          一端部
１３ｂ          他端部
１３ｃ          ギヤ部
１５            第２リンク
１５ａ          一端部
１５ｂ          他端部
１６            第３リンク
１６ａ          一端部
１６ｂ          他端部
１６ｄ          ギヤ部
【図１】
0003687799.tif 000002
【図２】
0003687799.tif 000003
【図３】
0003687799.tif 000004
【図４】
0003687799.tif 000005
【図５】
0003687799.tif 000006
【図６】
0003687799.tif 000007
【図７】
0003687799.tif 000008